(57)【要約】【課題】開口幅方向に可動の回動支点を介して回動することで開口部を開閉する扉体の上部気密構造を提供する。【解決手段】扉体の上部気密構造は、戸枠上枠の戸先側部位に装着され、扉体の閉鎖時に、該扉の戸先側部位の上端部位に密接する第１気密部材１６，１６Ａと、扉体の戸尻側部位の上端部位に装着され、扉体の閉鎖時に、戸枠上枠に密接する第２気密部材１７，１７Ａとを有し、扉体の閉鎖時に、第１気密部材１６，１６Ａの戸尻側端部と該第２気密部材１７，１７Ａの戸先側端部がオーバーラップするように構成されている。【選択図】図１７
2006009292.tif 000002
【特許請求の範囲】
【請求項１】
扉体の上部気密構造であって、該扉体は上端部位の幅方向中間部位において、開口幅方向に移動自在の回動支点によって回動自在に吊持されており、該扉は該回動支点を挟んで戸先側部位と戸尻側部位とに分けられ、
該気密構造は、
戸枠上枠の戸先側部位に装着され、扉体の閉鎖時に、該扉の戸先側部位の上端部位に密接する第１気密部材と、
扉体の戸尻側部位の上端部位に装着され、扉体の閉鎖時に、戸枠上枠に密接する第２気密部材とを有し、
扉体の閉鎖時に、該第１気密部材の戸尻側端部と該第２気密部材の戸先側端部がオーバーラップすることを特徴とする扉体の気密構造。
【請求項２】
請求項１において、該第１気密部材の戸尻側端部と該第２気密部材の戸先側端部は、一方の端部内に他方の端部を受け入れることでオーバーラップするように構成されており、扉体が閉鎖する際には、戸先側に移動する回動支点を介して扉体が回動することで、該第２気密部材の戸先側端部が、該第１気密部材の戸尻側端部に対してスライドしながらオーバーラップすることを特徴とする扉体の気密構造。
【発明の詳細な説明】
【技術分野】
【０００１】
本発明は、開口幅方向に可動の回動支点を介して回動することで開口部を開閉する扉体の上部気密構造に係り、好ましくは、折り戸やバランスドアにおける主扉の上部気密構造に適用されるものである。
【背景技術】
【０００２】
折り戸は構造上、開き戸に比べ、扉の軌跡面積が小さく、広い有効開口を得ることが可能であり、また、引戸のような戸袋スペースを必要とせず、扉の開閉が軽いなどの長所がある。そのため、折り戸は、車椅子利用者などが使用するのに適している。バランスドアもまた、扉体の開放時に広い通路を確保し、扉体の回動動作を省スペースで行なうことができるドアとして知られている。
【０００３】
折り戸には、異なる幅寸法の大扉と小扉から構成されるものがある。ここで、折り戸の大扉、バランスドアの扉体に共通することは、これら扉体が、その上端部位の幅方向中間部位において、開口幅方向に可動の回動支点に吊持されているということである。そして、これらの扉体は、開閉時に、その戸先側が開口部から突出して移動するので、扉体の上端部位に気密構造・防火構造を適用することが困難である。
【０００４】
例えば、異なる幅寸法の２枚の扉から構成される折り戸の気密構造・防火構造が、特許文献１、特許文献２に開示されている。しかしながら、これらに開示された手段は、戸枠に開口幅方向に延出する気密部材を上下回動可能に設けるものであり、気密部材の構成が複雑になると共に、折り戸の開閉のたびに気密部材が回動することから耐久性が悪い。また、扉を開放する際に容易に気密材が回動する必要があることから、気密部材を扉体に強く押し付けることができず気密性に問題があった。
【特許文献１】特許第３４５２９０５号
【特許文献２】特開２００２−３２７５８４
【発明の開示】
【発明が解決しようとする課題】
【０００５】
本発明は、開口幅方向に可動の回動支点を介して回動することで開口部を開閉する扉体の上部気密構造を提供することを目的とするものである。
【課題を解決するための手段】
【０００６】
かかる課題を達成するために本発明が採用した技術手段は、扉体の上部気密構造であって、該扉体は上端部位の幅方向中間部位において、開口幅方向に移動自在の回動支点によって回動自在に吊持されており、該扉は該回動支点を挟んで戸先側部位と戸尻側部位とに分けられ、該気密構造は、戸枠上枠の戸先側部位に装着され、扉体の閉鎖時に、該扉の戸先側部位の上端部位に密接する第１気密部材と、扉体の戸尻側部位の上端部位に装着され、扉体の閉鎖時に、戸枠上枠に密接する第２気密部材とを有し、扉体の閉鎖時に、該第１気密部材の戸尻側端部と該第２気密部材の戸先側端部がオーバーラップすることを特徴とするものである。こうすることで、第１気密部材は、扉体の閉鎖時に、扉体の上端部位の戸先側端部から回動支点までの部位を封止し、第２気密部材は、扉体の回動支点から戸尻側端部までの部位を封止する。扉体は、好ましくは、大扉と小扉とを有する折り戸の大扉、バランスドアの扉体である。また、「幅方向中間部位」とは、幅方向のいずれかの部位を意味し、必ずしも中央部位を意味するものではない。
【０００７】
好ましい態様では、該第１気密部材の戸尻側端部と該第２気密部材の戸先側端部は、一方の端部内に他方の端部を受け入れることでオーバーラップするように構成されており、扉体が閉鎖する際には、戸先側に移動する回動支点を介して扉体が回動することで、該第２気密部材の戸先側端部が、該第１気密部材の戸尻側端部に対してスライドしながらオーバーラップする。
【発明の効果】
【０００８】
扉体上部の気密構造は、可動気密部材ではなく、枠体及び扉体に固定された気密部材を用いて達成されるので、扉体の開閉時に気密部材が回動するようなことがなく、気密部材の耐久性、気密性が良好である。
【０００９】
各気密部材の端部同士をオーバーラップさせたので、扉体上部に相じゃくり形状を構成することができ、分割された気密部材でありながら、一本の通しの気密部材と同等の防火性能を有する。
【００１０】
気密部材のオーバーラップする端部同士において、一方が他方を受け入れ可能に構成したものでは、気密部材の構造を殊更複雑にすることなく、各気密部材の端部同士をオーバーラップさせることができる。
【発明を実施するための最良の形態】
【００１１】
図１は、本発明に係る折り戸を室外側から見た正面図、図２は、本発明に係る折り戸を室内側から見た正面図である。折り戸は、互いに回動可能に連結された大扉１と小扉２とを有し、大扉１と小扉２によって戸枠で形成される建物開口部を開閉するようになっている。戸枠は、上枠３０、下枠３１、左右の縦枠３２，３３からなる方形状の開口枠体から構成されており、図示のものでは、縦枠３２が戸先側縦枠、縦枠３３が戸尻側縦枠となっている。図３に示すように、上枠３０は、室内側面部３００と、大扉１および小扉２の上端面１０，２０に対向する下面部３０１を有している。
【００１２】
大扉１は、正面視方形状を有しており、その見込面は、上端部１０、下端部１１、左右の側端部１２，１３から構成されており、その見付面は、室内側面部１４と室外側面部１５とから構成されている。小扉２は、正面視方形状を有しており、その見込面は、上端部２０、下端２１、左右の側端２２，２３から構成されており、その見付面は、室内側面部２４と室外側面部２５とから構成されている。大扉１と小扉２は同じ高さ寸法を有するが、大扉１の幅寸法は小扉２の幅寸法よりも大きい寸法を有している。大扉１と小扉２からなる折り戸において、大扉１の戸先側端部１２が折り戸全体としての戸先側、小扉２の戸尻側端部２３が折り戸全体としての戸尻側となっている。大扉１の戸尻側端部１３と、小扉２の戸先側端部２２は互いに丁番４Ａを介して回動可能に連結されている。小扉２の戸尻側端部２３は丁番４を介して戸枠の縦枠３３に回動可能に取り付けてある。
【００１３】
室内側において、開口部上方には、電動開閉装置５が設けてあり、電動開閉装置５と大扉１の戸尻側の上端部位に設けた連結部６とは駆動アーム７を介して連結されている。大扉１は、幅方向中間部位において、吊持ローラ８によって吊持されており、吊持ローラ８はガイドレール９に沿って移動する。詳しくは、大扉１の幅方向中間部位には、大扉１の室内側面部の上端に位置して持ち出し状にローラ取付部８０が設けてあり、ローラ取付部８０には吊持ローラ８のローラ軸８１が装着されており、ローラ軸８１は吊持ローラ８に対して回転自在となっている。戸枠の上枠３０には開口幅方向にガイドレール９が延設されており、大扉１に設けた吊持ローラ８が開口部３の上枠３０に開口幅方向に延設されたガイドレール９内を転動することで、大扉１はガイドレール９に対してスライド自在に吊持され、かつ、大扉１は、ローラ軸８１を支点として回動自在となっている。大扉１は、ローラ軸８１（ローラ取付部８０）を挟んで、戸先側半部と戸尻側半部とに分けられる。
【００１４】
図３に示すように、ガイドレール９は、上枠３の室内側面部３００に持ち出し状に装着されており、上枠３に平行して、開口部幅方向に延出している。したがって、一般の折り戸に見られるように、折り戸の閉鎖時における扉の直上に位置してガイドレールが配設され、扉を吊持するローラ軸の移動経路と扉芯が一致するのではなく、大扉１が吊持されるローラ軸８１の移動経路と大扉１の大扉１の芯とが偏倚している。これは、折り戸の電気錠を構成する電気ストライクを上枠３に設けたためである。扉体側に電気ラッチを設け、枠側にストライクを形成することも考えられるが、可動である扉体側に電気ラッチを設けると配線が煩雑になるため、扉体側には通常のラッチを設け、枠側に電気ストライクを設けることが有利である。大扉１の戸尻側に位置して、上枠３０の下面３０１には、電気錠が設けてある。電気錠は、開口部上枠側に設けた電気ストライクＳと大扉１の上端部に設けたラッチＬから構成されており、通電時には、電気ストライクＳ内に突出するラッチＬのストライクへの係止が維持される。通電が遮断されると電気ストライクＳによるラッチの係止が解除され、ラッチＬが突出した状態であっても折り戸の移動が可能となるので、停電時等の非常時には、室外側からの手動による非常開放が可能なように構成されている。尚、上記の「大扉１が吊持されるローラ軸８１の移動経路と大扉１の大扉１の芯とが偏倚する構成」は、本発明に係る気密構造に必須の構成ではなく、大扉１の直上にガイドレールを配設したものでもよい。
【００１５】
このように構成された折り戸の開閉動作について図９、図１０に基づいて説明する。図９は、折り戸の閉鎖状態と開放状態とを示している。折り戸の閉鎖状態では、大扉１と小扉２が開口部幅方向に直線状に延出する姿勢となる。折り戸の閉鎖状態において、大扉１の戸先側端部１２と戸先側縦枠３２、大扉１の戸尻側縦部１３と小扉２の戸先側縦部２２、小扉２の戸尻側縦部２３と戸尻側縦枠３３、大扉１および小扉２の上端部と上枠３０、大扉１および小扉２の下端部と下枠３１とはそれぞれ近接しており、これらの部材の隙間は、後述する気密部材によって塞がれる。折り戸の開放状態では、大扉１と小扉２とが戸枠の戸尻側に位置して、開口部幅方向に直交して、互いに平行状に折り畳まれた姿勢となる。開放姿勢において、大扉１の戸先側半部は室外側に、大扉１の戸尻側半部は室内側に突出している。
【００１６】
図１０に示すように、折り戸を閉鎖状態から開放させる時には、電動開閉装置５によってアーム７を回動駆動させると、アーム７が連結部６を介して大扉１の戸尻側を室内側へ引き込み、大扉１は吊持ローラ８がガイドレール９内を転動することで戸尻側に移動しながら、ローラ軸８１を介して戸尻側半部が室内側へ、戸先側半部が室外側へと回動し、大扉１の回動に連動して小扉２も戸尻側端部を丁番４によって構成される固定回動支点を介して室内側へ回動し、大扉１と小扉２の連結部が室内側に向って屈曲し、さらにアーム７を介して大扉１と小扉２との屈曲角を狭めるように大扉１を小扉側（戸尻側）へ移動させることで、大扉１および小扉２が開口幅方向に対して直交する姿勢にまで回動しながら折り畳まれて、開放姿勢となって開口部を開放する。折り戸が閉鎖する際には、大扉１及び小扉２は逆の動きを辿って、折り戸の閉鎖姿勢となる。大扉１は幅方向に移動自在の回動支点を構成するローラ軸８１を介して回動し、小扉２は大扉２の回動に連動して、戸尻側の丁番４（固定回動支点）を介して回動する。折り戸が閉鎖状態から開放される時には、大扉１は回動支点が戸尻側に移動しながら回動し、折り戸が開放状態から閉鎖される時には、大扉１は回動支点が戸先側に逃げるように移動しながら回動する。したがって、開口幅方向に対して、大扉１は小扉２に比べて、扉体の傾動変化が大きい。
【００１７】
大扉１と小扉２から構成される折り戸には、折り戸の閉鎖時、開口部上端部の気密のための気密構造を有している。上端部の気密構造は、それぞれ、開口幅方向に延出する、第１気密部材１６、第２気密部材１７、第３気密部材１８の三つの気密部材を有する。折り戸の閉鎖時には、第１気密部材１６、第２気密部材１７、第３気密部材１８は開口部の同じ側（室内側あるいは室外側）に位置して、直線状に連設される。第１気密部材１６は、大扉１を吊持する吊持ローラ軸８１から大扉１の戸先側（大扉の戸先側半部）を封止する。第２気密部材１７は、大扉１を吊持する吊持ローラ軸８１から大扉１の戸尻側（大扉の戸尻側半部）を封止する。第３気密部材１８は、小扉２の幅方向全長を封止する。
【００１８】
第１気密部材１６を図３、図６に基づいて説明する。第１気密部材１６は、戸枠の上枠３０の戸先側部位に、大扉１の戸先側半部に対応するように設けてある。第１気密部材１６は、枠材１６０と、枠材１６０に取り付けられた気密ゴム１６１とから構成されており、折り戸の閉鎖時において、気密ゴム１６１が、大扉１の室内側面部１４の上端部に当接するように、枠材１６０を介して上枠３０の室内側面部３００に取り付けられている。枠材１６０は断面視略コ字状の長尺部材である。図６に示すように、枠材１６０は、上枠３０の室内側面部３００に対して間隔を存して平行状に下方に向って垂直方向に延出する縦片１６２と、縦片１６２の下端部より水平方向に一体的に延出する下側水平片１６３と、縦片１６２の上端部より水平片方向に一体的に延出する上側水平片１６４を有する。縦片１６２の下方部位は、大扉１の室内側面部１４の上端部位に対向している。縦片１６２の上方部位には気密ゴム１６１を取り付ける際のスペーサ１６５が設けてあり、スペーサ１６５の下面は上枠３０の下面部３０１と水平方向に略面一となっている。縦片１６２と下側水平片１６３とスペーサ１６５の下面で形成される空間に気密ゴム１６１が取り付けられている。気密ゴム１６１の頭部は下側水平片１６３よりも突出しており、折り戸の閉鎖時には、気密ゴム１６１の頭部の下半部が大扉１の室内側面部１４の上端部位に当接し、気密ゴム１６１の上半部が、上枠３０の下面部３０１と大扉１の戸先側半部の上面１０との間に形成される隙間を塞ぐようになっている。図示する実施例のものでは、第１気密部材１６の戸先側端部は、縦枠３２にまで延出しており、戸尻側端部は、吊持ローラ軸８１の軸心よりも僅かに戸先側寄りに位置している。
【００１９】
図４に基づいて第２気密部材１７を説明する。第２気密部材１７は、大扉１の上端部１０の戸尻側半部に設けてある。第２気密部材１７は、枠材１７０と枠材１７０に取り付けられた気密ゴム１７１とから構成されており、折り戸の閉鎖時において、気密ゴム１７１が、上枠３の室内側面部３００に当接するように、枠材１７０を介して大扉１の上端１０に取り付けられている。枠材１７０は、大扉１の上端面１０の戸尻側半部への取付片を構成する水平片１７２を有し、水平片１７２は大扉１の室内側面部１４よりも室内側に突出するように延出する。枠材１７０は、さらに、水平片１７２の延出端より上方に一体的に延出する縦片１７３と、縦片１７３の上端より水平片１７２に対向して室外側へ向って水平状に延出する第２水平片１７４とを有する。縦片１７３は、縦片１７３の上方部位が上枠３０の室内側面部３００の下端部位に対向するような寸法を有している。水平片１７２、縦片１７３と、第２水平片１７４で形成される空間に気密ゴム１７１が取付けられている。気密ゴム１７１の頭部は第２水平片１７４よりも突出しており、折り戸の閉鎖時には、気密ゴム１７１の頭部の上半部が上枠３の室内側面部３００の下端部位に当接し、気密ゴム１７１の下半部が、上枠３０の下面部３０１と大扉１の上面１０との間に形成される隙間を塞ぐようになっている。図示する実施例のものでは、第２気密部材１７の戸先側端部は、吊持ローラ軸８１の軸心よりも僅かに戸先側寄りに位置しており、戸尻側端部は、大扉１と小扉２の回動連結部の回動中心よりも戸尻側に位置している。
【００２０】
図５、図６に基づいて第３気密部材１８を説明する。第３気密部材１８は、小扉２の上端部２０の全長に設けてある。第３気密部材１８は、枠材１８０と枠材１８０に取り付けられた気密ゴム１８１とから構成されており、折り戸の閉鎖時において、気密ゴム１８１が、上枠３０の室内側面部３００に当接するように、枠材１８０を介して小扉２の上端部２０に取り付けられている。枠材１８０は断面視略コ字状の長尺部材である。枠材１８０は、小扉２の室内側面部２４に対して間隔を存して平行状に上方に向って垂直方向に延出する縦片１８２と、縦片１８２の上端部より水平方向に一体的に延出する上側水平片１８３と、縦片１８２の下端部より水平方向に一体的に延出する下側水平片１８４を有する。縦片１８２の上方部位は、上枠３の室内側面部３００の下端部位に対向している。縦片１８２の下方部位には気密ゴム１８１を取り付ける際の位置決めのためのスペーサ１８５が設けてあり、スペーサ１８５の上面は小扉２の上端部２０と水平方向に略面一（若干上方に位置している）となっている。縦片１８２と上側水平片１８３とスペーサ１８５の上面で形成される空間に気密ゴム１８１が取付けられている。気密ゴム１８１の頭部は上側水平片１８３よりも突出しており、折り戸の閉鎖時には、気密ゴム１８１の頭部の上半部が上枠３０の室内側面部３００の下端部位に当接し、気密ゴム１８１の下半部が、上枠３０の下面部３０１と小扉２の上端部２０との間に形成される隙間を塞ぐようになっている。図示する実施例のものでは、第３気密部材１８の戸先側端部は、大扉１と小扉２の回動連結部の回動中心よりも戸先側に位置しており、戸尻側端部は縦枠３３にまで達している。
【００２１】
図８から明らかなように、折り戸の閉鎖時において、第１気密部材１６の端部と第２気密部材１７との端部、第２気密部材１７と第３気密部材１８との端部は、それぞれ互いにオーバーラップしている。第１気密部材１６の枠材１６０の戸尻側端縁１６０Ａは、第２気密部材１７の戸先側端縁１７０Ａよりも戸尻側に位置している。第２気密部材１７の枠材１７０の戸尻側端縁１７０Ｂは、第３気密部材１８の戸先側端縁１８０Ａよりも戸尻側に位置している。
【００２２】
図示の実施例では、折り戸の閉鎖時には、第２気密部材１７の戸先側端部及び戸尻側端部がそれぞれ、第１気密部材１６の戸尻側端部、第３気密部材の戸先側端部に受け入れられるようになっている。図１１は、枠材１６０，１７０，１８０を正面から見た図である。図１１上図に示すように、枠材１６０のスペーサ１６５の戸尻側端部１６５Ａは、枠材１６０の戸尻側端部１６０Ａより内側に位置しており、図８に示す第１気密部材１６の気密ゴム１６１の戸尻側端縁１６１Ａとスペーサ１６５の戸尻側端部１６５Ａとが一致するようになっている。枠材１６０の戸尻側には、枠材１７の戸先側端部を受け入れる中空部１６６が形成されている。図１１下図に示すように、枠材１８０のスペーサ１８５の戸先側端部１８５Ａは、枠材１８０の戸先側端部１８０Ａより内側に位置しており、図８に示す第３気密部材１８の気密ゴム１８１の戸先側端縁１８１Ａとスペーサ１８５の戸先側端部１８５Ａとが一致するようになっている。枠材１８０の戸先側には、枠材１７の戸尻側端部を受け入れる中空部１８６が形成されている。第２気密部材１７（枠材１７０）の外形寸法は、第１気密部材１６の枠材１６０の中空部１６６の寸法、及び、第３気密部材１８の枠材１８０の中空部１８６の寸法よりも小さく形成されており、第２気密部材１７の長さ方向端部は、それぞれ、第１気密部材１６の枠材１６０の中空部１６６、第３気密部材１８の枠材１８０の中空部１８６に受け入れ可能の寸法に構成されている。
【００２３】
第１気密部材１６の戸尻側端部、第３気密部材１８の戸先側端部において、気密ゴム１６１，１８１はそれぞれ、枠材１６０、１８０の端部までは達していない。図８に示すように、第１気密部材１６の気密ゴム１６１の戸尻側端縁１６１Ａは、枠材１６０の戸尻側端縁１６０Ａよりも枠材の内側に位置しており、枠材１６０の戸尻側端部に受け入れられている第２気密部材１７の枠体１７０の戸先側端縁１７０Ａの位置と略一致している。第３気密部材１８の気密ゴム１８１の戸先側端縁１８１Ａは、枠材１８０の戸先側端縁１８０Ａよりも枠材の内側に位置しており、枠材１８０の戸先側端部に受け入れられている第２気密部材１７の枠体１７０の戸尻側端縁１７０Ｂの位置と略一致している。このように、第１気密部材１６の枠材１６０の戸尻側端部は第２気密部材１７の戸先側端部を、第３気密部材１８の枠材１８０の戸先側端部は第２気密部材１７の戸尻側端部を、それぞれ受け入れ可能に構成されている。したがって、第１気密部材と第２気密部材との隣接する端部同士、第２気密部材と第３気密部材との隣接する端部同士は、折り戸の閉鎖時には互いにオーバーラップするものでありながら、それぞれ、折り戸の開閉時に、端部同士が緩衝しないように構成されている。尚、図示の実施例では、折り戸の閉鎖時には、第２気密部材１７の戸先側端部及び戸尻側端部がそれぞれ、第１気密部材１６の戸尻側端部、第３気密部材の戸先側端部に受け入れられるものを示したが、これとは逆に第２気密部材の枠材の寸法を、第１気密部材及び第３気密部材に対して大きく設定することで、第２気密部材の端部がそれぞれ第１気密部材の端部、第３気密部材の端部を受け入れるように構成してもよい。
【００２４】
図８において、一点鎖線Ａは大扉１の回動支点を通る仮想線を示す。第１気密部材１６の枠材１６０の戸尻側端縁１６０Ａ、第２気密部材１７の戸先側端縁１７０Ａは、共に、大扉１の回動支点よりも戸先側に位置している。さらに、大扉１の回動支点は、扉本体よりも室内側に偏倚した位置にある。折り戸の開放時には、図８に示す閉鎖状態から、大扉１は戸尻方向に移動する回動支点を介して、大扉１の戸尻側半部が室内側に回動するので、大扉１に設けた第２気密部材１７の戸先側端縁１７０Ａがオーバーラップした状態から第１気密部材１６の戸尻側端縁１６０Ａに向って移動しつつ、第１気密部材１６の戸尻側端部から抜け出る。折り戸が閉鎖する際には、戸先側に移動する回動支点を介して大扉体１が回動することで、第２気密部材１７の戸先側端部が、第１気密部材１６の戸尻側端部に対してスライドしながらオーバーラップする。このように、閉鎖状態では端部同士がオーバーラップするものでありながら、折り戸開閉時に、端部同士が緩衝することがない。
【００２５】
さらに、図８において、一点鎖線Ｂは大扉１と小扉２との回動支点を通る仮想線を示す。第２気密部材１７の枠材１７０の戸尻側端縁１７０Ｂは、大扉１と小扉２との回動支点よりも戸尻側に位置しており、第３気密部材１８の戸先側端縁１８０Ａは、大扉１と小扉２との回動支点よりも戸先側に位置している。折り戸の開放時には、図８の閉鎖状態から、大扉１は戸尻方向に移動する回動支点を介して、大扉１の戸尻側半部が室内側に回動するので、大扉１に設けた第２気密部材１７の戸尻側端部と小扉２に設けた第３気密部材１８の戸先側端部とがオーバーラップした状態から互いに離隔するように拡開していく。大扉１の回動支点が戸尻側に移動するので、大扉１の戸尻側端部は小扉２の戸先端部から逃げるように回動する。折り戸が閉鎖する際には、戸先側に移動する回動支点を介して大扉体１が回動すると共に、小扉２が丁番４を介して回動し、第２気密部材１７の戸尻側端部と、第３気密部材１８の戸先側端部とが、互いに近接するように回動して、両者がオーバーラップする。大扉１の回動支点が戸先側に移動するので、大扉１の戸尻側端部は小扉２の戸先端部をリードしながら回動する。このように、閉鎖状態では端部同士がオーバーラップするものでありながら、折り戸開閉時に、端部同士が緩衝することがない。
【００２６】
折り戸の下端部位の気密構造について説明する。大扉１及び小扉２の下方部位には、幅方向に延出するロッド１９が内蔵されており、大扉１の戸尻側面部１３と小扉２の戸先側面部２２との対向面には、ロッド１９の先端部位が出没自在に設けてあり、常時（開口部開放時）は図示しないスプリングによって突出姿勢にあり、折り戸が閉鎖する時に、大扉１の戸尻側面部１３と小扉２の戸先側面部２２との対向面が密着すると、ロッド１９が押し込まれて没入し、没入したロッドに連繋した図示しない板ばねを介して、気密部材１９０が大扉１、小扉２の下端面１１，２１から下方に突出して、下枠３１に圧接される。
【００２７】
大扉１の戸先側面部１２と戸先側縦枠３２との気密構造について説明する。戸先側縦枠３２は、大扉１の戸先側面部１２に対向する見込面３２０と、見込面３２０の室内側端部に一体形成されたＬ形状片と、見込面３２０の室外側端部に形成された段部とを有する。Ｌ形状片は、見込面３２１ａと見付面３２１ｂとからなる。段部は、見込面３２２ａと見付面３２２ｂとからなる断面視Ｌ形状の部分によって形成される。大扉１の戸先側面部１２の室外側端部は室外側面部１５を側端部１２より延出させた突出片１５０が形成されており、折り戸の閉鎖時には、突出片１５０と段部内に延出し、段部を形成する見付面３２２ｂとのオーバーラップすることで、戸枠の戸先側縦枠３２と折り戸の戸先側（大扉１の戸先側面部１２）があいじゃくり構造を形成する。戸先側縦枠３２の室内側部位、Ｌ形状片の見込面３２１ａと見付面３２１ｂとで形成される凹部には、気密ゴム３２３が設けてあり、折り戸の閉鎖時には、気密ゴム３２３が、大扉１の室内側面部１４の端部に圧接して、大扉１の戸先側面部１２と戸先側縦枠３２との間の隙間を塞ぐようになっている。
【００２８】
小扉２の戸尻側面部２３と戸尻側縦枠３３との気密構造について説明する。戸尻側縦枠３３は、小扉２の戸尻側面部２３に対向する見込面３３０と、見込面３３０の室外側端部に形成された凹部を有する。凹部は、見込面３３１ａ、室内側見付面３３１ｂ、縦枠３３の室外側見付片３３２とから形成されている。凹部を形成する縦枠３３の室外側見付面３３２は小扉２の室外側面部２５の端部にオーバーラップ状に対向する延出片を形成し、戸枠の戸尻側縦枠３３と折り戸の戸尻側（小扉２の戸尻側面部２３）があいじゃくり構造を形成する。見込面３３１ａ、室内側見付面３３１ｂ、縦枠３３の室外側見付片３３２とから形成される凹部には、気密ゴム３３３が設けてあり、気密ゴム３３３の頭部は、見込面３３０よりも突出している。折り戸の閉鎖時には、気密ゴム３３３が、小扉２の戸尻側面部２３の室外側端部に圧接し、小扉２の戸尻側面部２３と戸尻側縦枠３３との隙間を塞ぐようになっている。
【００２９】
大扉１の戸尻側面部１３と小扉２の戸先側面部２２との間の気密構造について説明する。大扉１の戸尻側面部１３は平面部１３０と平面部１３０の室内側に形成された凹部とを有する。凹部は、見込面１３１ａ、室外側見付面１３１ｂ、大扉１の室内側面部１４を延出させた突出片１４０とから形成されている。小扉２の戸先側面部２２は平面部２２０と平面部２２０の室内側に形成された段部とを有し、段部は、見込面２２１ａと見付面２２１ｂとからなる断面視Ｌ形状の部分によって形成される。凹部を形成する突出片１４０は、小扉２の戸先側面部２２の段部の見付面２２１ｂにオーバーラップ状に対向しており、大扉１の戸尻側面部１３と小扉２の戸先側面部２２とがあいじゃくり構造を形成する。大扉１と小扉２は、平面部１３０，２２０の室外側部位の丁番４Ａを介して互いに回動可能に連結されており、大扉１がガイドレール９に沿って回動しながら移動すると、折り戸は、大扉１と小扉２の連結部が室内側にく字状に突出するように回動し始める。大扉１の戸尻側面部１３の平面図１３０と小扉２の戸先側面部２２の平面部２２０は同じ見込寸法を有しており、折り戸の閉鎖時には、平面部１３０，２２０同士が近接対向すると共に、凹部と段部同士が対向して連通する空間を形成する。見込面１３１ａ、室外側見付面１３１ｂ、突出片１４０とから形成される凹部には気密ゴム１３２が充填されており、気密ゴム１３２の頭部は平面部１３０よりも突出しており、折り戸の閉鎖時には、気密ゴム１３２の頭部が、小扉２の戸先側面部２２の段部内に延出し、段部の見付面２２１ｂに圧接し、大扉１の戸尻側面部１３と小扉２の戸先側面部２２との隙間を塞ぐ。小扉２の段部には小扉２の室内側見付面２４と段部の見込面２２１ａとで形成される室内側の角部から、段部の見込面２２１ｂに向って延出する傾斜片２２２が形成されている。突出片１４０の先端と小扉２の面部２４の端部との間は、指を挟むことがないような大きい寸法に設定されている。段部に傾斜片２２２を設けることで、指を挟まない空間を保ちつつ、ちり寸法を小さくして意匠性を向上させている。
【００３０】
このように構成された折り戸の気密構造において、折り戸の閉鎖状態では、上枠３に設けた第１気密部材１６の戸尻側端部と大扉１に設けた第２気密部材１７の戸先側端部、大扉１に設けた第２気密部材の戸尻側端部と小扉２に設けた第３部材１８の戸先側端部がそれぞれオーバーラップすることで気密構造を提供するので、折り戸の開閉時に気密部材が回動することがなく、良好な気密性能が確保できると共に、気密部材の耐久性もよい。各気密部材１６，１７，１８の端部同士がオーバーラップしているので、折り戸上部に相じゃくり形状を構成することができ、分割された気密部材でありながら、一本の通しの気密部材と同等の防火性能を有する。しかも、気密部材１６，１７，１８の互いの端部同士の寸法を異ならしめて、一方が他方を受け入れ可能に構成したので、気密部材の構造を殊更複雑にすることなく、各気密部材の端部同士をオーバーラップさせることができる。
【００３１】
折り戸の気密構造について、折り戸の開放時には、大扉１の戸尻側及び小扉２が室内側に回動し、大扉１の戸先側が室外側に回動する実施例について説明した（図１０参照）。この場合、第１気密部材１６は上枠３０の室内側、第２気密部材１７は大扉１の戸尻側半部の室内側、第３気密部材１８は小扉２の室内側に設けてあるが、第１気密部材１６、第２気密部材１７、第３気密部材１８が設けられる部位は、大扉１の戸尻側及び小扉２が折り畳まれて回動する側に取り付けられるものである。したがって、大扉１の戸尻側及び小扉２が室外側に回動し、大扉１の戸先側が室内側に回動するような場合には、第１気密部材１６は上枠３０の室外側、第２気密部材１７は大扉１の戸尻側半部の室外側、第３気密部材１８は小扉２の室外側に設けられる。
【００３２】
図１２乃至１７は本発明をバランスドアに採用した実施例を示している。図１２乃至１７において、前述の折り戸に関する実施例と共通の部材については同じ参照番号を付してあり、同じ参照番号が付された部材については、原則として、既述の記載を参照することができる。
【００３３】
図１２はバランスドアの室内側正面図、図１３はバランスドアの室外側正面図である。図１４は図１２のＡ−Ａ縦断面図、図１５は図１２のＢ−Ｂ縦断面図、図１６はバランスドアの扉体の移動軌跡を示す平面図である。バランスドアは、開口部を開閉する方形状の扉体１００を有しており、扉体１００は、上端部１０１、下端部１０２、戸先側端部１０３、戸尻側端部１０４と、室内側面部１０５、室外側面部１０６とを有する。開口部を構成する戸枠は、上枠３０と戸先側縦枠３２と戸尻側縦枠３３と床面とから構成されている。
【００３４】
開口部の戸尻側縦枠３３に近接して、上下方向に延出する回動支柱２００が縦枠３３に設けた丁番４０を介して回転自在に立設されており、回動支柱２００の上下端部には、それぞれ水平方向に延出する上方支持アーム２０１、下方支持アーム２０２が設けてある。建物開口部の縦枠３３に近接して立設した回動支柱２００と、回動支柱２００より水平方向に延設された上下の支持アーム２０１、２０２は一体として回転する揺動部材を構成しており、扉体１００を回転自在に支持している。扉体１００の戸尻側端部１０４は自由端であり、該自由端より所定寸法内側の部位において、扉体１００は上方支持アーム２０１、下方支持アーム２０２の先端部位にそれぞれ回動支軸２０３，２０４を介して回転自在に軸支される。 
【００３５】
図１６に示すように、建物開口部の戸尻側の縦枠３３は段部状の断面を有しており、平面視において扉体の軸心に対して偏倚した部位に揺動部材の回動支柱２００が設けられている。回動支柱２００の上方支持アーム２０１および下方支持アーム２０２の先端は、扉体１００の室内側の室内側面部１０５に持ち出し状に設けた回動支軸２０３，２０４にそれぞれ回転自在に軸着されている。 
【００３６】
扉体１００の上端部１０１において、該揺動部材による軸支部位よりさらに戸先側の部位には回転自在のガイドローラ８を備えた摺動支軸８２が上方に突設されている。開口部の上枠３０内には、上枠３０の長さ方向に延出するガイドレール９が設けてある。ガイドレール９は、扉体１００の真上に位置して、扉体１００の軸心上に配設されている。扉体１が回動する際に、ガイドローラ８がガイドレール９内を回転しながら移動するようになっている。扉体１００は、ガイドレール９に沿って開口幅方向に可動の回動支点８２Ａを介して回動する。扉体１００は摺動支軸８２が取り付けられた部位を境にして、戸先側部位１００Ａと戸尻側部位１００Ｂに分けられる。 
【００３７】
扉体１００の面部１０５，１０６には戸先側に位置して取っ手１０７が設けてあり、全閉時から取っ手１０７を掴んで扉体１００を回動させると、扉体１００の戸尻側部位１００Ｂが揺動部材に案内されて室内側に回動し、戸先側部位１００Ａが室外側に回動する。扉体１００の回動と同時に、ガイドローラ８がガイドレール９に案内されて戸尻側に移動するので、扉体１００は戸尻側へ移動する回動支点８２Ａ（摺動支軸８２）を介してスイングしながら開口部を開放するようになっている。扉体の閉鎖状態では、扉体１００は開口幅方向に直交する姿勢となる。開口部を開放する際には、扉体１００は、戸先側に移動する回動支点８２Ａ（摺動支軸８２）を介してスイングしながら開口部を閉鎖する。尚、左右の縦枠３２，３３には気密ゴム３２４，３３４が設けてあり、扉体の閉鎖時において、扉体１００の戸先側の面部、戸尻側の面部にそれぞれ当接するようになっている。
【００３８】
扉体１００には、扉体の閉鎖時に開口部上端部位をの気密するための気密構造を有している。上端部位の気密構造は、それぞれ、開口幅方向に延出する、第１気密部材１６Ａ、第２気密部材１７Ａを有する。第１気密部材１６Ａは、扉体１００を吊持する摺動支軸８２から扉体１００の戸先側（扉体の戸先側部位１００Ａ）を封止する。第２気密部材１７Ａは、扉体１００を吊持する摺動支軸８２から扉体１００の戸尻側（扉体１００の戸尻側部位１００Ｂ）を封止する。
【００３９】
バランスドアの第１気密部材１６Ａの具体的な構成は、折り戸の大扉１の第１気密部材１６と基本的に同じであり、気密部材１６に関する既述の記載を参照することができる。第１気密部材１６Ａは、戸枠の上枠３０の戸先側部位に、扉体１００の戸先側部位１００Ａに対応するように設けてある。第１気密部材１６Ａは、枠材１６０と、枠材１６０に取り付けられた気密ゴム１６１とから構成されており、扉体の閉鎖時において、気密ゴム１６１が、扉体１００の戸先側部位１００Ａの室内側面部１０５の上端部位に当接するように、枠材１６０を介して上枠３０の室内側面部３００に取り付けられている。枠材１６０は断面視略コ字状の長尺部材である。枠材１６０は、上枠３０の室内側面部３００に対して間隔を存して平行状に下方に向って垂直方向に延出する縦片１６２と、縦片１６２の下端部より水平方向に一体的に延出す下側水平片１６３と、縦片１６２の上端部より水平方向に一体的に延出する上側水平片１６４を有する。縦片１６２の下方部位は、扉体１００の室内側面部１０５の上端部位に対向している。縦片１６２の上方部位には気密ゴム１６１を取り付ける際のスペーサ１６５が設けてある。縦片１６２と下側水平片１６３とスペーサ１６５の下面で形成される空間に気密ゴム１６１が取り付けられている。気密ゴム１６１の頭部は下側水平片１６３よりも突出しており、扉体の閉鎖時には、気密ゴム１６１の頭部の下半部が扉体１００の室内側面部１０５の上端部位に当接し、気密ゴム１６１の上半部が、上枠３０と扉体１００の戸先側部位の上端部１０１との間に形成される隙間を塞ぐようになっている。図示する実施例のものでは、第１気密部材１６の戸先側端部は、縦枠３２にまで延出しており、戸尻側端部は、摺動支軸８２の軸心（回動支点８２Ａ）まで達している。
【００４０】
バランスドアの第２気密部材１７Ａの具体的な構成は、折り戸の大扉１の第２気密部材１７と基本的に同じであり、第２気密部材１７に関する既述の記載を参照することができる。第２気密部材１７Ａは、扉体１００の上端部１０１の戸尻側部位に設けてある。第２気密部材１７Ａは、枠材１７０と枠材１７０に取り付けられた気密ゴム１７１とから構成されており、扉体の閉鎖時において、気密ゴム１７１が、上枠３の室内側面部３００に当接するように、枠材１７０を介して扉体１００の上端部１０１に取り付けられている。枠材１７０は、扉体１００の上端面１０１の戸尻側部位への取付片を構成する水平片１７２を有し、水平片１７２は扉体１００の室内側面部１０５よりも室内側に突出するように延出する。枠材１７０は、さらに、水平片１７２の延出端より上方に一体的に延出する縦片１７３と、縦片１７３の上端より水平片１７２に対向して室外側へ向って水平状に延出する第２水平片１７４有する。縦片１７３は、縦片１７３の上方部位が上枠３０の室内側面部３００の下端部位に対向するような寸法を有している。水平片１７２、縦片１７３と、第２水平片１７４で形成される空間に気密ゴム１７１が取付けられている。気密ゴム１７１の頭部は第２水平片１７４よりも突出しており、扉体の閉鎖時には、気密ゴム１７１の頭部の上半部が上枠３の室内側面部３００の下端部位に当接し、気密ゴム１７１の下半部が、上枠３０の室内側面部３００の下端縁と扉体１００の上端部１０１との間に形成される隙間を塞ぐようになっている。図示する実施例のものでは、第２気密部材１７の戸先側端部は、摺動支軸８２の軸心（回動支点８２Ａ）まで達しており、戸尻側端部は、扉体１００の戸尻側端部まで達している。
【００４１】
扉体の閉鎖時において、第１気密部材１６Ａの端部と第２気密部材１７Ａとの端部は、オーバーラップしている。第１気密部材１６Ａの枠材１６０の戸尻側端縁１６０Ａは、第２気密部材１７Ａの戸先側端縁１７０Ａよりも戸尻側に位置している。図示の実施例では、扉体の閉鎖時には、第２気密部材１７Ａの戸先側端部が第１気密部材１６Ａの戸尻側端部に受け入れられるようになっている。第２気密部材１７Ａ（枠材１７０）の外形寸法は、第１気密部材１６Ａの枠材１６０の中空部（中空部については、折り戸の実施例に係る第１気密部材１６の中空部１６６についての記載を援用することができる）の寸法よりも小さく形成されており、第２気密部材１７Ａの長さ方向端部は第１気密部材１６Ａの枠材１６０の中空部に受け入れ可能の寸法に構成されている。
【００４２】
第１気密部材１６Ａの戸尻側端部において、気密ゴム１６１は枠材１６０の端部までは達していない。気密ゴム１６１の戸尻側端縁１６１Ａは、枠材１６０の戸尻側端縁１６０Ａよりも枠材の内側に位置しており、枠材１６０の戸尻側端部に受け入れられている第２気密部材１７の枠体１７０の戸先側端縁１７０Ａの位置と略一致している。第１気密部材１６Ａの枠材１６０のスペーサ１６５の戸尻側端部は、第１気密部材１６の第１気密部材１６と同様、枠材１６０の戸尻側端部までは達しておらず、気密ゴム１６１の戸尻側端縁１６１Ａと第１気密部材１６Ａの枠材１６０のスペーサ１６５の戸尻側端部は同じ位置にある。このように、第１気密部材１６Ａの枠材１６０の戸尻側端部は第２気密部材１７Ａの戸先側端部を受け入れ可能に構成されている。したがって、第１気密部材１６Ａと第２気密部材１７Ａとの隣接する端部同士は、扉体の閉鎖時には互いにオーバーラップするものでありながら、扉体の開閉時に、端部同士が緩衝しないように構成されている。尚、図示の実施例では、扉体の閉鎖時には、第２気密部材１７Ａの戸先側端部が、第１気密部材１６Ａの戸尻側端部に受け入れられるものを示したが、これとは逆に第２気密部材の枠材の寸法を、第１気密部材に対して大きく設定することで、第２気密部材の端部が第１気密部材の端部を受け入れるように構成してもよい。
【００４３】
扉体の開放時には、全閉状態から、扉体１００は戸尻方向に移動する回動支点８２Ａを介して、扉体１００の戸尻側部位１００Ｂが室内側に回動するので、扉体１００に設けた第２気密部材１７Ａの戸先側端縁１７０Ａがオーバーラップした状態から第１気密部材１６Ａの戸尻側端縁１６０Ａに向って移動しつつ、第１気密部材１６Ａの戸尻側端部から抜け出る。扉体の閉鎖時には、戸先側に移動する回動支点８２Ａを介して扉体１００が回動することで、第２気密部材１７Ａの戸先側端部が、第１気密部材１６Ａの戸尻側端部に対してスライドしながらオーバーラップする。このように、全閉時には端部同士がオーバーラップするものでありながら、扉体開閉時に、端部同士が緩衝することがない。
【００４４】
このように構成された扉体の上部気密構造は、戸枠上枠の戸先側部位に装着され、扉体の閉鎖時に、該扉の戸先側部位の上端部位に密接する第１気密部材１６Ａと、扉体の戸尻側部位の上端部位に装着され、扉体の閉鎖時に、戸枠上枠に密接する第２気密部材１７Ａとを有し、扉体の閉鎖時に、第１気密部材１６Ａの戸尻側端部と該第２気密部材１７Ａの戸先側端部がオーバーラップするように構成されているので、扉体の開閉時に気密部材が回動することがなく、良好な気密性能が確保できると共に、気密部材の耐久性もよい。各気密部材１６Ａ，１７Ａの端部同士がオーバーラップしているので、扉体上部に相じゃくり形状を構成することができ、分割された気密部材でありながら、一本の通しの気密部材と同等の防火性能を有する。しかも、気密部材１６Ａ，１７Ａの互いの端部同士の寸法を異ならしめて、一方が他方を受け入れ可能に構成したので、気密部材の構造を殊更複雑にすることなく、各気密部材の端部同士をオーバーラップさせることができる。
【００４５】
バランスドアの扉体の気密構造について、扉体の開放時には、扉体１００の戸尻側が室内側に回動し、扉体１００の戸先側が室外側に回動する実施例について説明した（図１６参照）。この場合、第１気密部材１６Ａは上枠３０の室内側、第２気密部材１７Ａは扉体１００の戸尻側部位１００Ｂの室内側に設けてあるが、第１気密部材１６Ａ、第２気密部材１７Ａが設けられる部位は、扉体１００の戸尻側が回動する側に取り付けられるものである。したがって、扉体１００の戸尻側が室外側に回動し、扉体１００の戸先側が室内側に回動するような場合には、第１気密部材１６Ａは上枠３０の室外側、第２気密部材１７Ａは扉体１００の戸尻側部位１００Ｂの室外側に設けられる。
【産業上の利用可能性】
【００４６】
本発明は折り戸やバランスドアに適用される。
【図面の簡単な説明】
【００４７】
【図１】折り戸の室外側正面図である。
【図２】折り戸の室内側正面図である。
【図３】大扉の戸先側半部の縦断面図であり、図７におけるＡ−Ａ線に沿った縦断面図である。
【図４】大扉の戸尻側半部の縦断面図であり、図７におけるＢ−Ｂ線に沿った縦断面図である。
【図５】小扉の縦断面図であり、図７におけるＣ−Ｃ線に沿った縦断面図である。
【図６】折り戸の上端部の縦断面図を示し、左図は図３に対応し、中央図は図４に対応し、右図は図５に対応する。図６では気密ゴムは省略されている。
【図７】折り戸の横断面図である。
【図８】折り戸の回動部分を示す図７の部分拡大図である。
【図９】折り戸の全閉姿勢および全開姿勢を示す平面図である。図において、Ａ側が室内側、Ｂ側が室外側である。
【図１０】折り戸を構成する大扉及び小扉の回動軌跡を示す平面図である。図において、Ａ側が室内側、Ｂ側が室外側である。
【図１１】上図は、第１気密部材の枠材、中央図は、第２気密部材の枠材、下図は、第３気密部材の枠材を示している。
【図１２】バランスドアの室内側正面図である。
【図１３】バランスドアの室外側正面図である。
【図１４】扉体の戸先側半部の縦断面図であり、図１２におけるＡ−Ａ線に沿った縦断面図である。
【図１５】扉体の戸尻側半部の縦断面図であり、図１２におけるＢ−Ｂ線に沿った縦断面図である。
【図１６】バランスドアを構成する扉体の回動軌跡を示す平面図であり、図中符号Ａが室外側、符号Ｂが室内側を示す。
【図１７】バランスドアを構成する扉体の平面図である。
【符号の説明】
【００４８】
１  大扉
２  小扉
１６  第１気密部材
１６０  枠材
１６１  気密ゴム
１７  第２気密部材
１７０  枠材
１７１  気密ゴム
１８  第３気密部材
１８０  枠材
１８１  気密ゴム
１００  扉体
１００Ａ  扉体の戸先側部位
１００Ｂ  扉体の戸尻側部位
１６Ａ  第１気密部材
１７Ａ  第２気密部材
【図１】
2006009292.tif 000003
【図２】
2006009292.tif 000004
【図３】
2006009292.tif 000005
【図４】
2006009292.tif 000006
【図５】
2006009292.tif 000007
【図６】
2006009292.tif 000008
【図７】
2006009292.tif 000009
【図８】
2006009292.tif 000010
【図９】
2006009292.tif 000011
【図１０】
2006009292.tif 000012
【図１１】
2006009292.tif 000013
【図１２】
2006009292.tif 000014
【図１３】
2006009292.tif 000015
【図１４】
2006009292.tif 000016
【図１５】
2006009292.tif 000017
【図１６】
2006009292.tif 000018
【図１７】
2006009292.tif 000019